(57)【要約】【課題】車両の車輪や、農業用のロータリー耕耘装置に取付けられる土撥ね防止カバーの構成において、仕組み性の向上、デザイン自由度の向上、部品点数の向上、さらには、土撥ね防止カバーの耐久性の向上を実現することを課題とする。【解決手段】農業用のロータリー耕耘装置に取付けられる土撥ね防止カバー１０において、可撓性の泥よけシート２０に、樹脂製の固定具３０が一体成形されて構成されており、回転体のカバー９に設けた取付部（取付穴９ｂ・９ｂ）に対し、前記固定具３０の一部（突起部３０ａ・３０ａ）を固定することにより、前記泥よけシート２０が前記固定具３０を介して前記カバー９に固設されるように構成した。【選択図】図３
2005040109.tif 000002
【特許請求の範囲】
【請求項１】
車両の車輪やロータリー耕耘爪等といった回転体のカバーの後部に配される土撥ね防止カバーにおいて、可撓性の泥よけシートに、樹脂製の固定具が一体成形され、前記回転体のカバーに設けた取付部に対し、前記固定具の一部を固定することにより、前記泥よけシートが前記固定具を介して前記回転体のカバーに固設されるように構成した、ことを特徴とする土撥ね防止カバー。
【請求項２】
前記土撥ね防止カバーにおいて、前記泥よけシートに樹脂製の補強具が一体成形される、ことを特徴とする請求項１に記載の土撥ね防止カバー。
【請求項３】
前記固定具と補強具の少なくともいずれか一方に、文字又は図形を表す凹凸を設けた、ことを特徴とする請求項１又は請求項２に記載の土撥ね防止カバー。
【請求項４】
前記土撥ね防止カバーにおいて、前記泥よけシートの下部に樹脂製の係止具を一体成形し、必要に応じて前記泥よけシートを折りたたんだ後、前記係止具を前記回転体のカバーに対し係止固定可能に構成した、ことを特徴とする請求項１乃至請求項３のいずれか１項に記載の土撥ね防止カバー。
【請求項５】
前記土撥ね防止カバーにおいて、前記泥よけシートの端面に樹脂製の保護具が一体成形される、ことを特徴とする請求項１乃至請求項４のいずれか１項に記載の土撥ね防止カバー。
【請求項６】
車両の車輪やロータリー耕耘爪等といった回転体のカバーの後部に配される土撥ね防止カバーにおいて、可撓性の泥よけシートに、前記回転体のカバーの下面に当着する樹脂製の支持プレートが一体成形して構成されており、前記支持プレートより上方に突設した突起部を前記回転体のカバーに設けた貫通穴より突出させるとともに、該突出した個所に係止具を取付けて、前記支持部プレートを前記ロータリー耕耘装置等に吊設させるように構成した、ことを特徴とする土撥ね防止カバー。
【請求項７】
車両の車輪やロータリー耕耘爪等といった回転体のカバーの後部に配される土撥ね防止カバーにおいて、複数の貫通穴が設けられ、該貫通穴の間に突部が形成される泥よけシートと、前記貫通穴の内の二つの貫通穴に両端が挿入される弾性留め具とから構成され、泥よけシートの裏面より突出した前記弾性留め具の両端を回転体のカバーに設けた取付穴に挿入し、前記突部を弾性留め具により押圧することにより前記泥よけシートを回転体のカバーに圧着固定させる構成とした、ことを特徴とする土撥ね防止カバー。
【請求項８】
車両の車輪やロータリー耕耘爪等といった回転体のカバーの後部に配される土撥ね防止カバーにおいて、金属の補強板が、当該補強板の一部又は全部を樹脂で覆われて可撓性の泥よけシートに一体的に構成される、ことを特徴とする土撥ね防止カバー。
【請求項９】
車両の車輪やロータリー耕耘爪等といった回転体のカバーの後部に配される土撥ね防止カバーにおいて、可撓性の泥よけシートに、樹脂製の開閉式取付部材を一体成形し、該開閉式取付部材にて回転体のカバーの一部を挟み込むことにより、回転体のカバーに対し固定する構成とした、ことを特徴とする土撥ね防止カバー。
【発明の詳細な説明】
【技術分野】
【０００１】
本発明は、車両の車輪やロータリー耕耘爪等といった回転体のカバーの後部に配されるの土撥ね防止カバーの構成に関する。
【背景技術】
【０００２】
従来、車両の車輪やロータリー耕耘爪等といった回転体のカバーの後部には、泥よけシートや金属板からなる土撥ね防止カバーが設けられており、該土撥ね防止カバーによって、撥ね上げられた泥土が前記回転体のカバー、即ち、タイヤハウスカバーやローターカバーの空隙部の外部へ飛散することを防止している。
該土撥ね防止カバーに関する技術は公知となっており、土撥ね防止カバーの固定方法には、土撥ね防止カバー自体が可撓性を持つ柔軟材で構成されることから、多くの場合、それぞれ別体の金属プレート、土撥ね防止カバー、金属カバー（回転体のカバー）をサンドイッチ状に積層するとともに、押さえ込む圧力を分散させるべく、ボルト等の締結金具で固定する構成としている。
また、具体的な構成について開示する文献も存在しており、下記特許文献１では、図２７に示すごとく、泥よけシート９０・９０・９０からなる可撓性の土撥ね防止カバーの内側面及び外側面を、金属バネ板からなる規制板９６・９６・９６にて挟み込んでなる構成が開示されている。この構成は、土撥ね防止カバー単体の強度だけでは泥土が撥ね出してしまう場合等の補強の措置として採られるものである。このように、土撥ね防止カバーの別体の規制板９６・９６・９６を設ける構成は、該文献に限らず周知となっており、土撥ね防止カバーの外側だけ、若しくは、内側だけに規制板が配される構成も周知である。また、泥よけシート９０・９０・９０の表裏を別体の規制板９６・９６・９６でサンドイッチすることや、これらをリベットやボルト締結等により一体化することは、泥よけシート９０・９０・９０の角度を固定する措置として採られるものである。
また、特許文献２では、金属板からなる土撥ね防止カバーの内面に泥よけシートを張り付ける構成が開示されている。この構成では、泥よけシートの弾性変形によって泥土を振り落とす構成とするものであり、該泥よけシートを前記土撥ね防止カバーに固定すべく、泥よけシートの内側には締付具や芯金板が突出されている。
また、図２６に示すごとく、泥よけシートのみで構成されるものもあり、下部外側に係止フック９１を設け、培土板等を取り付ける時や後進しながら耕耘作業を行う時においては、該係止フック９１を係止リング９２に引っ掛けて該泥よけシート９０を折りたたむようにしており、これら該係止フック９１を係止リング９２は、ボルトナットよりなる締結具９６・９７により固定されている。また、この構成では、泥よけシート９０は、ローターカバー９４に対しボルトナットよりなる締結具９５により固定されている。
さらに、泥よけシート９０の表面に、メーカーロゴや、注意事項などの表示をする際には、ペンキ等の塗料をシートの表面に塗装して表示することが行われていた。
【０００３】
【特許文献１】実用新案登録第２５０２３９１号公報
【特許文献２】特許第３２０１６８３号明細書
【発明の開示】
【発明が解決しようとする課題】
【０００４】
上記特許文献１に開示される技術では、金属バネ板からなる規制板により、泥よけシートが容易に撓まないように補強するように構成されている。しかし、図２７に示すごとく、該規制板９６・９６・９６が泥よけシート９０・９０・９０の外部に配される構成では、製作過程においては規制板９６・９６・９６を取付けるための組立工数が必要とされることは勿論のこと、泥よけシート９０・９０・９０と別体で浮いた状態で取付けられるため、美観上においても好ましくないといえる。
また、特許文献２に開示される技術では、前記締結具・芯金板が泥よけシートの裏側、即ち、ロータリー刃側に存在し、また、図２６に示す従来構成では、同じくロータリー刃９３側に締結具９５・９６が存在する。これらは、泥よけシートからの突起となり、ロータリー刃９３によって飛散した泥土が堆積したり、汚れとなって固着してしまうといった不具合が生じる。また、前記締結具９５・９６は金属であるため、取付個所において泥よけシートに亀裂を発生させやすいといった問題がある。
また、シートの表面に塗装したメーカーロゴや注意事項の表示は、泥土が擦れることによって剥がれることがあり、消え易く、耐久性に弱いものであった。
本発明は、以上の不具合を解決する新規な構成の土撥ね防止カバーを提案するものである。
【課題を解決するための手段】
【０００５】
本発明の解決しようとする課題は以上のごとくであり、次にこの課題を解決するための手段を説明する。
【０００６】
即ち、請求項１に記載のごとく、車両の車輪やロータリー耕耘爪等といった回転体のカバーの後部に配される土撥ね防止カバーにおいて、可撓性の泥よけシートに、樹脂製の固定具が一体成形されて構成されており、前記回転体のカバーに設けた取付部に対し、前記固定具の一部を固定することにより、前記泥よけシートが前記固定具を介して前記回転体のカバーに固設されるように構成したことである。
【０００７】
また、請求項２に記載のごとく、前記土撥ね防止カバーにおいて、前記泥よけシートに樹脂製の補強具が一体成形されることである。
【０００８】
また、請求項３に記載のごとく、前記固定具と補強具の少なくともいずれか一方に、文字又は図形を表す凹凸を設けたことである。
【０００９】
また、請求項４に記載のごとく、前記土撥ね防止カバーにおいて、前記泥よけシートの下部に樹脂製の係止具を一体成形し、必要に応じて前記泥よけシートを折りたたんだ後、前記係止具を前記回転体のカバーに対し係止固定可能に構成したことである。
【００１０】
また、請求項５に記載のごとく、前記土撥ね防止カバーにおいて、前記泥よけシートの端面に樹脂製の保護具が一体成形されることである。
【００１１】
また、請求項６に記載のごとく、車両の車輪やロータリー耕耘爪等といった回転体のカバーの後部に配される土撥ね防止カバーにおいて、可撓性の泥よけシートに、前記回転体のカバーの下面に当着する樹脂製の支持プレートが一体成形して構成されており、前記支持プレートより上方に突設した突起部を前記回転体のカバーに設けた貫通穴より突出させるとともに、該突出した個所に係止具を取付けて、前記支持部プレートを前記ロータリー耕耘装置等に吊設させるように構成したことである。
【００１２】
また、請求項７に記載のごとく、車両の車輪やロータリー耕耘爪等といった回転体のカバーの後部に配される土撥ね防止カバーにおいて、複数の貫通穴が設けられ、該貫通穴の間に突部が形成される泥よけシートと、前記貫通穴の内の二つの貫通穴に両端が挿入される弾性留め具とから構成され、泥よけシートの裏面より突出した前記弾性留め具の両端を回転体のカバーに設けた取付穴に挿入し、前記突部を弾性留め具により押圧することにより前記泥よけシートを回転体のカバーに圧着固定させる構成としたことである。
【００１３】
また、請求項８に記載のごとく、車両の車輪やロータリー耕耘爪等といった回転体のカバーの後部に配される土撥ね防止カバーにおいて、金属の補強板が、当該補強板の一部又は全部を樹脂で覆われて可撓性の泥よけシートに一体的に構成されることである。
【００１４】
また、請求項９に記載のごとく、車両の車輪やロータリー耕耘爪等といった回転体のカバーの後部に配される土撥ね防止カバーにおいて、可撓性の泥よけシートに、樹脂製の開閉式取付部材を一体成形し、該開閉式取付部材にて回転体のカバーの一部を挟み込むことにより、回転体のカバーに対し固定する構成としたことである。
【発明の効果】
【００１５】
本発明の効果として、以下に示すような効果を奏する。
【００１６】
即ち、請求項１に記載のごとく、車両の車輪やロータリー耕耘爪等といった回転体のカバーの後部に配される土撥ね防止カバーにおいて、可撓性の泥よけシートに、樹脂製の固定具が一体成形されて構成されており、前記回転体のカバーに設けた取付部に対し、前記固定具の一部を固定することにより、前記泥よけシートが前記固定具を介して前記回転体のカバーに固設されるように構成したので、ボルトナット等の締結具により固定する従来の構成と比較して、組立性の向上が図られる。
【００１７】
また、請求項２に記載のごとく、前記土撥ね防止カバーにおいて、前記泥よけシートに樹脂製の補強具が一体成形されるので、該補強具の弾性力により適度なたわみ強度が得られ、土と接触することで反り返ろうとする泥よけシートを元の位置に戻すことで、泥土の外部への飛散を防止できる。また、一体成形することにより、外観上、該補強具が泥よけシートから浮いてしまうこともなく、美観も良好となる。また、補強具を別途固定する必要がないので、従来の規制板を取り付ける構成と比較して組立工数の削減が図られる。
【００１８】
また、請求項３に記載のごとく、前記固定具と補強具の少なくともいずれか一方に、文字又は図形を表す凹凸を設けたので、泥よけシートの表面上にプリント印字して表示する場合と比較して耐久性に優れ、また、美観上も優れたものとすることができる。
【００１９】
また、請求項４に記載のごとく、前記土撥ね防止カバーにおいて、前記泥よけシートの下部に樹脂製の係止具を一体成形し、必要に応じて前記泥よけシートを折りたたんだ後、前記係止具を前記回転体のカバーに対し係止固定可能に構成したので、泥よけシートに一体的に成形される樹脂製の係止具は、金属で構成する場合と比較して鋭利部分を少なく構成できるため、従来の金属で構成されるものと比較して、取付個所における泥よけシートの亀裂の発生を防止することができる。
【００２０】
また、請求項５に記載のごとく、前記土撥ね防止カバーにおいて、前記泥よけシートの端面に樹脂製の保護具が一体成形されるので、泥よけシートの端面の摩耗を防止できる。
【００２１】
また、請求項６に記載のごとく、車両の車輪やロータリー耕耘爪等といった回転体のカバーの後部に配される土撥ね防止カバーにおいて、可撓性の泥よけシートに、前記回転体のカバーの下面に当着する樹脂製の支持プレートが一体成形して構成されており、前記支持プレートより上方に突設した突起部を前記回転体のカバーに設けた貫通穴より突出させるとともに、該突出した個所に係止具を取付けて、前記支持部プレートを前記ロータリー耕耘装置等に吊設させるように構成したので、係止具の挿入により取付けが完了することから、取付けが容易に行えるものであり、また、該係止具が前記カバーの上方に配されることから、前記カバーの内側には突起が存在せず、突起に泥土が堆積するといった不具合が生じることもない。
【００２２】
また、請求項７に記載のごとく、車両の車輪やロータリー耕耘爪等といった回転体のカバーの後部に配される土撥ね防止カバーにおいて、複数の貫通穴が設けられ、該貫通穴の間に突部が形成される泥よけシートと、前記貫通穴の内の二つの貫通穴に両端が挿入される弾性留め具とから構成され、泥よけシートの裏面より突出した前記弾性留め具の両端を回転体のカバーに設けた取付穴に挿入し、前記突部を弾性留め具により押圧することにより前記泥よけシートを回転体のカバーに圧着固定させる構成としたので、泥よけシートに突部を設けるとともに、弾性留め具を挿入するといった単純な構成であり、製作コストも安価なものとなる。
【００２３】
また、請求項８に記載のごとく、車両の車輪やロータリー耕耘爪等といった回転体のカバーの後部に配される土撥ね防止カバーにおいて、金属の補強板が、当該補強板の一部又は全部を樹脂で覆われて可撓性の泥よけシートに一体的に構成されるので、補強板によって泥よけシートが補強され、適切なたわみ強度を得ることができるようになるとともに、樹脂により補強板が覆い隠されることから、美観も良好となる。
【００２４】
また、請求項９に記載のごとく、車両の車輪やロータリー耕耘爪等といった回転体のカバーの後部に配される土撥ね防止カバーにおいて、可撓性の泥よけシートに、樹脂製の開閉式取付部材を一体成形し、該開閉式取付部材にて回転体のカバーの一部を挟み込むことにより、回転体のカバーに対し固定する構成としたので、回転体のカバーに対し容易に取り付け可能であり、仕組み性に優れたものとすることができる。
【発明を実施するための最良の形態】
【００２５】
車両の車輪や、農業用のロータリー耕耘装置に取付けられる土撥ね防止カバーの構成において、泥よけシートに樹脂製の固定具、係止具、さらには補強部材を一体的に設けることにより、仕組み性の向上、デザイン自由度の向上、部品点数の向上、さらには、土撥ね防止カバーの耐久性の向上を実現した。
【実施例１】
【００２６】
次に、発明の実施例１について図面に基づいて説明する。
図１は土撥ね防止カバーを備えた農業用管理機を示す側面図、図２は同じくロータリー耕耘装置の後面斜視図、図３は本発明に係る土撥ね防止カバーの実施例１の構成を示す図、図４の（ａ）はローターカバーに対する取付部の構成を示す図、図４の（ｂ）は同じく樹脂を溶着させた状態を示す図、図６は固定具を湾曲して構成する例を示す図、図７は上下方向に補強具を備える構成とする例を示す図である。
【００２７】
図１に示される農業用管理機１は、エンジン２を搭載する機体フレーム３を走行輪４にて支持する構成としており、該走行輪４へは、チェーンケース５、ミッションケース６を介してエンジン２の動力が伝達される。また、前記ミッションケース６の後方へはロータリー伝動ケース７が配されており、これらミッションケース６、ロータリー伝動ケース７を介してロータリー伝動ケース７の下部に配されるロータリー刃８が回転駆動されるロータリー耕耘装置が構成されている。
そして、ロータリー伝動ケース７の下部、およびロータリー刃８は、上方より作業機のカバーであるローターカバー９に覆われており、また、該ローターカバー９の後部には、本発明に係る土撥ね防止カバー１０が取付け固定されている。これら、カバー９・１０により空隙部が形成され、該空隙部内でロータリー刃８が回転駆動されて圃場が耕耘される。また、該耕耘によって飛散する泥土は、これらカバー９・１０によって該空隙部内にとどめられ、外部に飛散しないようになっている。
また、図２に示すごとく、土撥ね防止カバー１０・１０・１０は横方向に複数並設されており、また、ローターカバー９の側板９ａは開閉式とされ、該側板９ａと土撥ね防止カバー１０との間には角部土撥ね防止カバー１１が設けられる。
また、図３に示すごとく、該土撥ね防止カバー１０は、可撓性のゴムからなる泥よけシート２０に、ポリアミド系樹脂等の樹脂製の固定具３０が一体成形されて構成されている。そして、ローターカバー９に設けた取付穴９ｂ・９ｂに対し、前記固定具３０より突出させた突起部３０ａ・３０ａを嵌入することにより、土撥ね防止カバー１０が、固定具３０を介してローターカバー９に固設されるようになっている。なお、泥よけシート２０と固定具３０とを別体に構成し、ローターカバー９に対する固設時において接着剤により両者を一体化させる構成としてもよい。また、泥よけシート２０は固定具３０よりも弾性の高い可撓性の樹脂より構成してもよく、特に素材はゴムに限定されるものではない。
また、図３に示すごとく、前記固定具３０は、左右方向に幅のあるベースプレート３０ｂを泥よけシート２０の裏側（反ローターカバー９側）に配するように構成されており、該固定具３０には、メーカーのロゴを凹凸をつけて成形し、成形後においては刻印をしたように表示させることができる。このようにすることで、例えば、泥よけシート２０の表面上にプリント印字して表示する場合と比較して耐久性に優れ、また、美観上も優れたものとすることができる。
また、図４の（ａ）に示すごとく、前記固定具３０は、左右方向に幅のあるベースプレート３０ｂより複数（図３参照）の突起部３０ａを突設して構成されるものであり、該突起部３０ａを泥よけシート２０の貫通穴２０ａに挿入することにより、固定具３０が泥よけシート２０と一体的に構成されるものである。なお、このように樹脂製の固定具３０を泥よけシート２０と一体化させる加工方法については、特に限定されるものではなく、周知の加工技術、成形技術により行われるものである。
また、図４の（ａ）に示すごとく、前記突起部３０ａの先端部３０ｃの最大外径は、ローターカバー９に設けた取付穴９ｂの内径よりも大きく構成される。そして、土撥ね防止カバー１０をローターカバー９に取付ける際には、突起部３０ａを取付穴９ｂに対し押し込むようにして嵌入するとともに、嵌入後においては、図４の（ｂ）に示すごとく、先端部３０ｃを熱ごて等にて溶かすことにより、ローターカバー９に対して突起部３０ａが溶着され、土撥ね防止カバー１０が全体としてローターカバー９に対して強固に固設されるようになっている。このように、土撥ね防止カバー１０をローターカバー９に容易に固定することができ、ボルトナット等の締結具により固定する従来の構成と比較して、組立性の向上が図られる。
また、図４の（ｃ）〜（ｅ）に示すごとく、ボルトヘッド３１ａ（図４（ｃ）・（ｄ））を樹脂で覆うようにして、ボルト３１が一体的に成形された固定具３０とする構成とし、該ボルト３１をナット３８で締結する構成としてもよい。図４（ｄ）では、このナット３８を締結後、樹脂３０ｄで覆い隠しナット３８への泥土の付着を防ぐようにしている。さらに、図４（ｅ）の構成では、固定具３０をローターカバー９の裏側に配する構成とし、該固定具３０にナット３８を一体的に成形した構成を示しており、当該構成では、該ナット３８に対し、ローターカバー９の表側よりボルト３１を螺嵌することにより固定が行われるものである。このように、固定具３０を構成する樹脂に対し、その成形時において金属のボルト３１やナット３８を一体的に成形する構成としてもよい。
また、図５の（ａ）（ｂ）に示すごとく、固定具３０のベースプレート３０ｂの代わりに、金属のベースプレート３０ｋを泥よけシート２０に付設し、該ベースプレート３０ｋの上を樹脂７７にて覆う構成も考えられる。また、この場合、樹脂よりなる留め具３０ｍ・３０ｍを差し込んで、図示せぬローターカバーに対し固着させる構成とする。
また、図６に示すごとく、固定具３０のベースプレート３０ｂにおいては、ローターカバー９の取付面９ｃが湾曲している場合においては、該湾曲の形状と一致するように湾曲させるようにすることで、土撥ね防止カバー１０が取付けられた状態では、泥よけシート２０とローターカバー９との間に隙間が形成されないようにしている。このように隙間を形成しないようにすることで、隙間に泥土が入り込んで堆積してしまうといった不具合が生じることもない。
また、図７に示すごとく、固定具３０においては、左右方向のベースプレート３０ｂに加え、上下方向に補強具３２ｃ・３２ｄを設けた構成とすることにより、泥よけシート２０が撓みにくくなる、つまりは、補強されることにより、飛散する泥土によって反り返らないよう適度な弾性を持たせることもできる。また、補強具３２ｃに示すごとく、「手を入れるな」等といった注意事項や、補強具３２ｄに示すごとく、メーカーのロゴを凹凸をつけて成形し、表示することもできる。
【実施例２】
【００２８】
次に、発明の実施例２について図面に基づいて説明する。
図８は土撥ね防止カバーの実施例２の構成について示す図、図９は泥よけシートに固定具及び補強具を立体的に成形した構成を示す図である。
【００２９】
図８に示すごとく、土撥ね防止カバー１０は、泥よけシート２０に樹脂製の固定具３０を一体成形して構成されるものであり、また、泥よけシート２０を補強する樹脂製の補強具３０ｅも一体成形されるものである。この補強具３０ｅは、泥よけシート２０よりも剛性が高いものとし、その弾性力により適度なたわみ強度が得られ、土と接触することで反り返ろうとする泥よけシート２０を元の位置に戻すことで、泥土の外部への飛散を防止できる。
そして、一体成形においては、型枠にセットした泥よけシート２０に対し溶融樹脂を流しこむようにして固定具３０及び補強具３０ｅが成形されるものである。前記泥よけシート２０の表面には、固定具３０及び補強具３０ｅの成形形状に合わせた形状の凹部３３ａ・３３ｂが予め形成されており、これにより、泥よけシート２０に対する溶融樹脂の接着性の向上が図られるとともに、規定の形状に確実に成形することができるようになっている。なお、凹部３３ａ・３３ｂの深さについては、固定具３０や補強具３０ｅが泥よけシート２０の表面ともに一連の連続面を形成する、即ち、これら樹脂が泥よけシート２０の表面からはみ出さない深さとすることで、外観上、土撥ね防止カバー１０の表面を凹凸のないフラットなものとすることができる。このように、一体成形することにより、外観上、該補強具３０ｅが泥よけシート２０から浮いてしまうこともなく、美観も良好となる。また、この補強具３０ｅは泥よけシート２０の任意の位置に配することが可能であり、補強が必要となる任意の位置を補強することができる。
逆に、図９に示すごとく、固定具３０や補強具３０ｅの表面を泥よけシート２０の表面から突出させることにより、これらに固定具３０や補強具３０ｅにより立体的な模様を形成することもできる。また、樹脂に泥よけシート２０とは異なる色を付加することにより、固定具３０や補強具３０ｅによって土撥ね防止カバー１０のデザインを構成することもできる。このように、固定具３０や補強具３０ｅの泥よけシート２０に対する一体成形の形態については、図９に示される形態の他、図１０（ａ）〜（ｃ）に示されるごとく、泥よけシート２０の上面（又は下面でもよい）に樹脂からなる固定具３０を積層する形態（図１０（ａ））、泥よけシート２０を打ち貫き貫通穴３３を形成し、該貫通穴３３を樹脂（固定具３０）で埋めることにより、泥よけシート２０との間で段差のない一連の表面を構成する形態（図１０（ｂ））、さらには、これらを組み合わせて成る形態（図１０（ｃ））の形態が考えられ、これらの形態により、弾性力（強度）の異なる異素材を成形し一体物とするものである。
また、補強具３０ｅを別途固定する必要がないので、従来の規制板を取り付ける構成と比較して組立工数の削減が図られる。
【実施例３】
【００３０】
次に、発明の実施例３について図面に基づいて説明する。
図１１は土撥ね防止カバーの実施例３の構成について示す図、図１２の（ａ）は同じく側面一部断面図、図１２の（ｂ）は係止具の基部を泥よけシートの貫通穴内に設ける構成を示す図、図１２の（ｃ）はフック形状の係止部とした係止具の構成を示す図、図１２の（ｄ）はリング形状の係止部とした係止具の構成を示す図である。
図１１に示すごとく、土撥ね防止カバー１０は、泥よけシート２０の下部に樹脂製の係止具４０を一体成形し、必要に応じて泥よけシート２０を折りたたむようにして、前記係止具４０をローターカバーに対し係止固定可能としている。
また、図１１及び図１２（ａ）に示すごとく、泥よけシート２０の上部には、ピン状の固定具３０ｆ・３０ｆが一体成形されており、該固定具３０ｆ・３０ｆをローターカバー９の取付穴９ｂ・９ｂに嵌入後、熱ごて等にて溶かすことにより、ローターカバー９に対して固定具３０ｆ・３０ｆが溶着されるようになっている。これにより、土撥ね防止カバー１０を全体としてローターカバー９に対し強固に固設することができる。
また、図１２（ａ）に示すごとく、前記係止具４０は、ローターカバー９側に設けた係止穴９ｆに挿入されて、泥よけシート２０を折りたたむことができるようにしている。このように、泥よけシート２０に一体的に成形される樹脂製の係止具４０は、金属で構成する場合と比較して鋭利部分を少なく構成できるため、従来の金属で構成されるものと比較して、取付個所における泥よけシート２０の亀裂が発生しにくいものとなる。
また、図１２（ａ）に示すごとく、泥よけシート２０の表面（反ロータリー刃側）に係止具４０を形成することで、飛散した泥土が降りかかることになる泥よけシート２０の裏面（ロータリー刃側）には突起がないように構成されている。このように、泥よけシート２０の裏面には突起がないようにする、即ち、フラットに構成することにより、従来のように、突起部分に飛散した泥土が堆積することや、汚れとなって固着してしまうといった不具合を防ぐことができる。
また、図１２（ｂ）に示すごとく、係止具４０の基部４０ｆを泥よけシート２０の貫通穴２０ｃ内に設ける構成とすることにより、係止具４０の泥よけシート２０に対する結合性を向上させることもできる。
また、図１２（ｂ）（ｃ）（ｄ）は、係止具４０における係止部４０ａのバリエーションを示すものであり、（ｃ）のフック形状の係止部４０ｂ、（ｄ）のリング形状の係止部４０ｃ等とすることが考えられる。
また、図１３（ａ）に示すごとく、凹型の係止部４０ｍを設ける構成とすることや、図１３（ｂ）に示すごとく、凹凸の係止部４０ｍ・４０ｎを組み合わせて設ける構成としてもよい。
【実施例４】
【００３１】
次に、発明の実施例４について図面に基づいて説明する。
図１４は土撥ね防止カバーの実施例４の構成について示す図である。
図１４に示すごとく、土撥ね防止カバー１０は、泥よけシート２０の端面に樹脂製の保護具５５を一体成形して構成されるものである。
該保護具５５は、泥よけシート２０の端面に一体成形して付設されるものであり、これにより、土撥ね防止カバー１０の泥よけシート２０の端面が擦られることによる、該泥よけシート２０の摩耗を防止できる。
また、該保護具５５を泥よけシート２０に成型加工する構成とすることで、泥よけシート２０の端面の形状に忠実に沿わせるようして構成することができる。
【実施例５】
【００３２】
次に、発明の実施例５について図面に基づいて説明する。
図１５は土撥ね防止カバーの実施例５の構成について示す図、図１６は同じく側面一部断面図である。
図１５及び図１６に示すごとく、土撥ね防止カバー１０は、泥よけシート２０に、ローターカバー９の下面に当着する樹脂製の支持プレート５０を一体成形して構成されるものである。
該支持プレート５０は、側面視略「く」字状に構成されるものであり、屈曲部を介して一側をローターカバー９に対するカバー付設面５１とし、他側を泥よけシート２０に対する泥よけシート付設面５２としている。泥よけシート付設面５２においては、突起部５２ａ・５２ａ・・を設けることで、泥よけシート２０と支持プレート５０との接合性が向上されている。
また、カバー付設面５１には、複数の突起部５１ａ・５１ａ・５１ａが突設される一方、ローターカバー９には、複数の貫通穴９ｄ・９ｄ・９ｄが形設されており、前記突起部５１ａ・５１ａ・５１ａをローターカバー９の下側より貫通穴９ｄ・９ｄ・９ｄに挿入することにより、カバー付設面５１の上面がローターカバー９の下面に当着する。また、前記突起部５１ａ・５１ａ・５１ａには、左右方向に貫通穴５１ｂ・５１ｂ・５１ｂが形成されており、突起部５１ａ・５１ａ・５１ａが貫通穴９ｄ・９ｄ・９ｄに挿入された状態では、該貫通穴５１ｂ・５１ｂ・５１ｂがローターカバー９の上方に配され（図１６参照）、この貫通穴５１ｂ・５１ｂ・５１ｂに棒状の係止具５３を挿嵌することにより、ローターカバー９に対し支持プレート５０が吊設されるようになっている。つまり、貫通穴５１ｂ・５１ｂ・・・に対し係止具５３を横架し、該係止具５３をローターカバー９の上面に引っかけるようにすることで、土撥ね防止カバー１０全体をローターカバー９に対して取付けるものである。
以上のように、本実施例では、農業用のロータリー耕耘装置に取付けられる土撥ね防止カバー１０において、可撓性の泥よけシート２０に、ローターカバー９の下面に当着する樹脂製の支持プレート５０が一体成形して構成されており、前記支持プレート５０より上方に突設した突起部５１ａ・５１ａ・５１ａを前記ローターカバー９に設けた貫通穴９ｄ・９ｄ・９ｄを貫通して突出させるとともに、該突出した個所に係止具５３を取付けて、前記支持部プレート５０をローターカバー９に吊設させるように構成するものである。なお、係止具５３には貫通穴５１ｂ・５１ｂ・５１ｂに対するピン等の抜け止め手段が設けられている。
そして、以上の構成よれば、係止具５３の挿入により取付けが完了することから、取付けが容易に行えるものであり、また、該係止具５３がローターカバー９の上方に配されることから、ローターカバー９の内側には突起が存在せず、上述したものと同様、突起に泥土が堆積するといった不具合が生じることもない。
【実施例６】
【００３３】
次に、発明の実施例６について図面に基づいて説明する。
図１７は土撥ね防止カバーの実施例６の構成について示す図、図１８は突部と弾性部材について示す断面図、図１９は土撥ね防止カバーをローターカバーに固設した状態を示す平面断面図、図２０は泥よけシートの中央部を湾曲させた構成とする平面断面図である。
図１７乃至図１９に示すごとく、土撥ね防止カバー１０は、複数の貫通穴２０ｄ・２０ｄが設けられ、該貫通穴の内の二つの貫通穴２０ｄ・２０ｄの間に突部２５が形成される泥よけシート２０と、前記貫通穴２０ｄ・２０ｄに両端が挿入される弾性留め具６０とから構成され、泥よけシート２０の裏面より突出した前記弾性留め具６０の両端をローターカバー９に設けた取付穴９ｂ・９ｂに挿入し、前記突部２５を弾性留め具６０により押圧することにより泥よけシート２０をローターカバー９に圧着固定させる構成としている。
本実施例では、泥よけシート２０の左右には二つの貫通穴２０ｄ・２０ｄが形成されるとともに、該貫通穴２０ｄと貫通穴２０ｄの間の中央部分の高さを最も高くした突部２５が形成されている。該突部２５は、泥よけシート２０の肉厚を厚くすることにより略アーチ状に形成される。また、該突部２５の上面は、断面を略Ｕ字状とする一連の溝２５ａに構成されており、前記弾性留め具６０を貫通穴２０ｄ・２０ｄに挿入した際には、該溝２５ａに弾性留め具６０が収まるように構成されて、ズレを防止している。
該弾性留め具６０は、金属や樹脂からなる棒状の部材であって、両端が泥よけシート２０の貫通穴２０ｄ・２０ｄ、そして、ローターカバー９の取付穴９ｂ・９ｂに挿入されるものである（図１９参照）。このように弾性留め具６０を貫通穴２０ｄ・２０ｄ、取付穴９ｂ・９ｂに挿入すると、弾性留め具６０はたわむことによってたわみ反力が発生させられ、該たわみ反力（直線状に戻ろうとする力）によって弾性留め具６０の両端がローターカバー９の内側面を押圧し、弾性留め具６０が取付穴９ｂ・９ｂに対して突っ張られるようにして保持される。そして、突部２５の溝２５ａの底面が弾性留め具６０により押圧され、これにより、泥よけシート２０における貫通穴２０ｄ・２０ｄの区間がローターカバー９に対し圧着される。
以上のようにして、泥よけシート２０の突部２５を弾性留め具６０により押圧することにより、ローターカバー９に対し圧着固定させるものであり、突部２５を設けるとともに、弾性留め具６０を挿入するといった単純な構成で実現でき、製作コストも安価なものとなる。
尚、突部２５の形状については特にアーチ型に限定されるものではなく、図２０に示すごとく、貫通穴２０ｄ・２０ｄの中央部２０ｆを湾曲させて泥よけシート２０を成形する構成としてもよい。
【実施例７】
【００３４】
次に、発明の実施例７について図面に基づいて説明する。
図２１は土撥ね防止カバーの実施例７の構成について示す図、図２３（ａ）は補強板の全部を樹脂で覆う構成を示す図、図２３（ｂ）は補強板の一部を樹脂で覆う構成を示す図である。
図２１及び図２３（ａ）（ｂ）に示すごとく、土撥ね防止カバー１０は、金属の補強板７０が、当該補強板７０の一部又は全部を樹脂で覆われて可撓性の泥よけシート２０に一体的に構成されるものである。
図２１に示すごとく、泥よけシート２０の表面には、泥よけシート２０の長手方向に空隙７０ａが形設されており、該空隙７０ａには、金属の補強板７０が挿入される。そして、該補強板７０を挿入した状態で、図２３（ａ）に示すごとく、前記空隙７０ａが形成される範囲全体を溶融した樹脂７５により覆うことにより、該樹脂７５により補強板７０を泥よけシート２０に対し溶着させるとともに、補強板７０を覆い隠すものである。尚、該補強板７０の泥よけシート２０に対する固定の形態については、図２２の（ａ）〜（ｄ）に示す形態が考えられる。
このようにして構成される土撥ね防止カバー１０は、補強板７０によって泥よけシート２０が補強され、適切なたわみ強度を得ることができるようになるとともに、樹脂７５により補強板７０が覆い隠されることから、美観も良好となる。尚、樹脂７５は、いうまでもなく、泥よけシート２０と同色とすることが望ましい。
また、図２３（ｂ）に示す例では、補強板７０の一部を樹脂７５で覆う構成として、補強板７０に設けた貫通穴７０ａを露出させるとともに、泥よけシート２０にも該貫通穴７０ａと連続する貫通穴を設け、これら一連の貫通穴にボルト等の固定具を挿入可能としている。この構成によれば、当該土撥ね防止カバー１０を図示せぬローターカバーや、他の土撥ね防止カバー等に対し、補強板７０、固定具を介して固定することができる。
【実施例８】
【００３５】
次に、発明の実施例８について図面に基づいて説明する。
図２４は土撥ね防止カバーの実施例８の構成について示す図である。
図に示すごとく、土撥ね防止カバー１０は、泥よけシート２０に、固定面８１と、開閉面８２からなる樹脂製の開閉式取付部材８０を一体成形して構成し、該開閉式取付部材８０にてローターカバー９の一部を挟み込む構成とするものである。
固定面８１は、泥よけシート２０の裏面（ロータリー刃側）に左右方向に付設される板体であって、該固定面８１に対し、可撓性の連結体８３を介して開閉面８２が設けられている。つまり、図において、開閉面８２が固定面８１に対して上下方向に開閉し、全体として開閉式取付部材８０が構成されている。また、固定面８１には複数の突起部８１ａが反泥よけシート２０の方向に突設されており、開閉面８２を開いた状態で、該突起部８１ａをローターカバー９の取付穴９ｂに嵌入し、その後、開閉面８２を閉じることにより、固定面８１と開閉面８２とによりローターカバー９を挟み込むように構成している。また、前記突起部８１ａは、取付穴９ｂに嵌入された状態で、その先端がローターカバー９より突出されるようになっており、該突出部を開閉面８２に設けた嵌入穴８２ａに嵌入されるように構成している。
このようにして構成される土撥ね防止カバー１０は、ローターカバー９を開閉式取付部材８０にて挟み込むことで、ローターカバー９に対し容易に取り付け可能であり、仕組み性に優れたものとなっている。
【実施例９】
【００３６】
次に、発明の実施例９について図面に基づいて説明する。
図２５は土撥ね防止カバーの実施例９の構成について示す図である。
図２５に示すごとく、土撥ね防止カバー１０は、泥よけシートの原反２０Ａより切り取った等幅の泥よけシート２０Ｂ・２０Ｃを、樹脂製の固定具３５を介して連結する構成とするとともに、該固定具３５をローターカバー（不図示）に対して固定する構成とするものである。
また、前記泥よけシート２０Ｂ・２０Ｃの幅は等幅であって、かつ、両泥よけシート２０Ｂ・２０Ｃの幅の合計は、原反２０Ａの幅と同一とするものである。
本構成において、固定具３５は、図３に示される固定具３０と同様、ローターカバー９の取付穴に対して突起部３５ａ・３５ａ・・を嵌入し、土撥ね防止カバー１０を全体としてローターカバー９に固定するという機能を有するとともに、左右方向にベースプレート３５ｂにて両泥よけシート２０Ｂ・２０Ｃを橋架することにより、二つの泥よけシート２０Ｂ・２０Ｃより一枚の泥よけシートを構成するという機能を有している。尚、前記突起部３５ａ・３５ａ・・は、泥よけシート２０Ｂ・２０Ｃに設けた貫通穴を通過して、ローターカバー９の取付穴に嵌入されるものである。また、図４に示されるものと同様、嵌入後は熱ごてにてローターカバー９に対し溶着されるものである。
このように構成される土撥ね防止カバー１０においては、泥よけシートの原反２０Ａの全幅が使用されるため、原反２０Ａにおけるロスを少なくすることができる。
また、この構成によれば、原反２０Ａの幅に左右されることなく、自由な幅設定が可能となり、従来は歩留まりの悪い形状であったものでも、無駄なく製造することができるようになる。
【産業上の利用可能性】
【００３７】
本発明の活用例として、車両の車輪やロータリー耕耘爪等といった回転体のカバー内からの泥土や粉塵の飛散を防止するためのカバーとして、車両全般、農業機械全般に適用可能である。
【図面の簡単な説明】
【００３８】
【図１】土撥ね防止カバーを備えた農業用管理機を示す側面図である。
【図２】同じくロータリー耕耘装置の後面斜視図である。
【図３】本発明に係る土撥ね防止カバーの実施例１の構成を示す図である。
【図４】（ａ）はローターカバーに対する取付部の構成を示す図である。（ｂ）は同じく樹脂を溶着させた状態を示す図である。
【図５】（ａ）は金属のベースプレートを備えた構成の正面図である。（ｂ）は同じく平面一部断面図である。
【図６】固定具を湾曲して構成する例を示す図である。
【図７】上下方向に補強具を備える構成とする例を示す図である。
【図８】土撥ね防止カバーの実施例２の構成について示す図である。
【図９】泥よけシートに固定具及び補強具を立体的に成形した構成を示す図である。
【図１０】（ａ）は泥よけシートの表面に樹脂からなる固定具を積層する形態について示す図である。（ｂ）は泥よけシートを打ち貫いた個所を樹脂で埋める形態について示す図である。（ｃ）は（ａ）（ｂ）を組み合わせて成る形態について示す図である。
【図１１】土撥ね防止カバーの実施例３の構成について示す図である。
【図１２】（ａ）は同じく側面一部断面図である。（ｂ）は係止具の基部を泥よけシートの貫通穴内に設ける構成を示す図である。（ｃ）はフック形状の係止部とした係止具の構成を示す図である。（ｄ）はリング形状の係止部とした係止具の構成を示す図である。
【図１３】（ａ）は凹型の係止部を設ける構成について示す図である。（ｂ）は凹凸の係止部を組み合わせてなる構成について示す図である。
【図１４】土撥ね防止カバーの実施例４の構成について示す図である。
【図１５】土撥ね防止カバーの実施例５の構成について示す図である。
【図１６】同じく側面一部断面図である。
【図１７】土撥ね防止カバーの実施例６の構成について示す図である。
【図１８】突部と弾性部材について示す断面図である。
【図１９】土撥ね防止カバーをローターカバーに固設した状態を示す平面断面図である。
【図２０】泥よけシートの中央部を湾曲させた構成とする平面断面図である。
【図２１】土撥ね防止カバーの実施例７の構成について示す図である。
【図２２】（ａ）は補強板を泥よけシートに付設する構成について示す図である。（ｂ）は同じく補強板の一部を樹脂で覆う構成を示す図である。（ｃ）は補強板を泥よけシートに埋設して設けた構成を示す図である。（ｄ）は補強板を同じく埋設させるとともに一部を樹脂で覆う構成を示す図である。
【図２３】（ａ）は補強板の全部を樹脂で覆う構成を示す図である。（ｂ）は補強板の一部を樹脂で覆う構成を示す図である。
【図２４】土撥ね防止カバーの実施例８の構成について示す図である。
【図２５】土撥ね防止カバーの実施例９の構成について示す図である。
【図２６】従来の土撥ね防止カバーの構成について示す図である。
【図２７】規制板を泥よけシートの外部に配する従来の構成について示す図である。
【符号の説明】
【００３９】
９      ローターカバー
９ｂ    取付穴
１０    土撥ね防止カバー
２０    泥よけシート
３０    固定具
３０ａ  突起部
【図１】
2005040109.tif 000003
【図２】
2005040109.tif 000004
【図３】
2005040109.tif 000005
【図４】
2005040109.tif 000006
【図５】
2005040109.tif 000007
【図６】
2005040109.tif 000008
【図７】
2005040109.tif 000009
【図８】
2005040109.tif 000010
【図９】
2005040109.tif 000011
【図１０】
2005040109.tif 000012
【図１１】
2005040109.tif 000013
【図１２】
2005040109.tif 000014
【図１３】
2005040109.tif 000015
【図１４】
2005040109.tif 000016
【図１５】
2005040109.tif 000017
【図１６】
2005040109.tif 000018
【図１７】
2005040109.tif 000019
【図１８】
2005040109.tif 000020
【図１９】
2005040109.tif 000021
【図２０】
2005040109.tif 000022
【図２１】
2005040109.tif 000023
【図２２】
2005040109.tif 000024
【図２３】
2005040109.tif 000025
【図２４】
2005040109.tif 000026
【図２５】
2005040109.tif 000027
【図２６】
2005040109.tif 000028
【図２７】
2005040109.tif 000029